(57)【特許請求の範囲】
【請求項１】
イ）口頚部を有する容器本体と、（ロ）下端に設けた吸入口を前記口頚部から容器本体内に挿入させて容器本体に固定されたシリンダと、（ハ）前記シリンダの吸入口に設けられた吸込弁と、（ニ）前記容器本体とシリンダのいずれかに回動可能に取り付けられた回動環と、（ホ）前記回動環に一体的に設けられ上部に吐出弁を有し下端を前記シリンダ内に挿入させた吐出管と、（ヘ）前記シリンダ内に配され且つ前記吐出管に液密に外嵌して昇降摺動可能に設けられ付勢機構により下方に付勢された筒状のプランジャと、（ト）前記回動環とプランジャとの間に設けられ回動環の回転動作をプランジャの上昇動作に変換する変換機構と、（チ）前記吐出弁の吐出側に連結され下方に押し下げ可能になっていて押し下げ動作により吐出弁を開弁せしめ噴出ノズルから内溶液を噴出可能な噴出ヘッドと、（リ）前記シリンダの内周面とプランジャの外周面との間に設けられプランジャが最下限位置に位置した時にはプランジャ内側の加圧室に連通しプランジャが最下限位置から外れて位置した時には前記加圧室から遮断される液圧逃がし通路と、（ヌ）前記シリンダの内周面とプランジャの外周面との間に設けられ外気導入可能な空気流入通路と、（ル）前記シリンダの周壁に形成され前記容器本体の内部と液圧逃がし通路とを連通する等圧孔と、（ヲ）前記液圧逃がし通路と空気流入通路との間に設けられ、前記等圧孔を開閉する第１弁部、前記プランジャの外周面に圧接摺動して液圧逃がし通路と空気流入通路との間を開閉する上下に離間して配された第２弁部及び第３弁部を有する等圧弁、とを備え、前記等圧弁の第１弁部は液圧逃がし通路と容器本体内の圧力差によって動作して容器本体内から液圧逃がし通路への流通を阻止し液圧逃がし通路から容器本体内への流通のみ許容する逆止弁として機能し、前記プランジャが下部移動域に位置している時には前記等圧弁の第２弁部がプランジャの外周面に圧接して閉塞し、プランジャが上部移動域に位置している時には第２弁部がプランジャの外周面から離反して開弁するとともに、第３弁部がプランジャの外周面に圧接して液圧逃がし通路から空気流入通路への流通を阻止し空気流入通路から液圧逃がし通路への流通のみ許容する逆止弁として機能することを特徴とする液体噴出容器。
【請求項２】
前記等圧弁の第１弁部と第３弁部は先端径が弾性的に拡縮可能な筒状をなし第２弁部は環状突部に形成され、前記プランジャ外周面の等圧弁摺動部分の途中には凹部が形成されており、第２弁部はこの凹部の側方に位置している時には凹部の壁面との間に隙間を有し開弁状態となり凹部外に位置している時にはプランジャの外周面に圧接して閉弁状態となり、第３弁部はその先端シール部が前記凹部の側方に位置している時には開弁状態となり先端シール部が凹部外に位置している時には逆止弁として機能すべくプランジャの外周面に圧接していることを特徴とする請求項１に記載の液体噴出容器。
【請求項３】
前記プランジャには、プランジャが最下限位置に位置した時に前記吸込弁を上から押さえてその開弁を阻止する押さえ部材が設けられていることを特徴とする請求項１または２に記載の液体噴出容器。
【請求項４】
前記吐出管とプランジャとの摺動面に、これらの間を液密にシールする環状の弾性シール部材が設けられていることを特徴とする請求項１から３のいずれかに記載の液体噴出容器。
【発明の詳細な説明】
【０００１】
【産業上の利用分野】
本発明は、加圧ガスを使用しないタイプのポンプ機構を内蔵した液体噴出容器に関するものである。
【０００２】
【従来の技術】
噴霧装置付き容器等の液体噴出容器には、実開平３−５６５８４号公報等に開示されているように、容器本体の口頚部にプランジャポンプ機構が装備されていて、容器本体に取り付けられた回動環を所定の角度回転することによりプランジャが上昇し、これによりシリンダ内に容器本体内の内容液がポンプアップされ、この後、噴出ヘッドを若干押し下げるとポンプアップした内容液が噴出ノズルから噴出されるタイプのものがある。
【０００３】
この液体噴出容器は、口頚部を有する容器本体と、下端に設けた吸入口を前記口頚部から容器本体内に挿入させて容器本体に固定されたシリンダと、前記シリンダの吸入口に設けられた吸込弁と、前記シリンダの上部に回動可能に取り付けられた回動環と、前記回動環に固定され上端に吐出弁を有し下端を前記シリンダ内に挿入させた吐出管と、前記シリンダ内に配され且つ前記吐出管に液密に外嵌して昇降摺動可能に設けられ付勢機構により下方に付勢された中空筒状のプランジャと、前記回動環とプランジャとの間に設けられ回動環の回転動作をプランジャの上昇動作に変換する変換機構と、前記吐出弁の吐出側に連結されていて下方に押し下げると吐出弁が開弁して噴出ノズルから内溶液を噴出せしめることができる噴出ヘッドと、前記シリンダの内周面とプランジャの外周面との間に設けられた液圧逃がし通路と、前記シリンダの内周面とプランジャの外周面との間に設けられ外気導入可能な空気流入通路と、前記シリンダの周壁に形成され前記容器本体の内部と液圧逃がし通路とを連通する等圧孔と、前記液圧逃がし通路と空気流入通路との間に設けられた空気導入弁と、前記等圧孔に設けられた逆止弁、とを備えている。
【０００４】
前記逆止弁は、容器本体内から液圧逃がし通路への流通を阻止し、液圧逃がし通路から容器本体内への流通のみを許容している。
前記液圧逃がし通路は、プランジャが最下限位置に位置した時にプランジャ内側の加圧室に連通し、プランジャが最下限位置よりも上方に位置した時に前記加圧室から遮断されるようになっている。
【０００５】
これは、プランジャを下降させて加圧室内の内容液を噴出した場合に、プランジャが最下限位置手前に位置した時に、加圧室と容器本体内とを液圧逃がし通路及び等圧孔を介して連通させ、加圧室内の圧力を容器本体内に逃がして加圧室内の圧力を急速に減圧し、これにより噴射終了時の液切れをよくするために行っている。
【０００６】
又、前記空気導入弁は、プランジャが最上限位置に位置した時に開弁して空気流入通路から液圧逃がし通路に空気を流入せしめる機能を有している。これは、プランジャを上昇させて容器本体内から加圧室に内容液をポンプアップした時には容器本体内が負圧になるため、容器本体内を大気圧に戻すために行っている。
【０００７】
【発明が解決しようとする課題】
このように、液圧逃がし通路には常に内容液が残留しているが、従来の空気導入弁はプランジャの最上限に位置している間は常に開弁状態になっているため、この状態のまま液体噴出容器を横転させると、液圧逃がし通路内の内容液が空気流入通路を介して外部に漏洩する虞があった。
【０００８】
又、プランジャの最下限位置手前で加圧室と液圧逃がし通路を連通し、加圧室内の圧力を液圧逃がし通路を介して容器本体内に戻すようにしているが、この時は加圧室内と容器本体内との圧力バランスが極めて不安定で、プランジャが最下限位置に位置した時に容器本体内の圧力の方が加圧室内の圧力よりも大きくなる場合がある。このようになると吸込弁が開き、容器本体内の圧力が再び加圧室内に加わり、その結果、液体噴出終了時における液切れが悪くなり、噴出ノズルから液垂れを生じる虞があった。
【０００９】
又、吐出管とプランジャとの間のシールは、プランジャの内周面を吐出管の外周面に直接圧接させることにより行っているが、このような構造ではプランジャにクラックが生じる虞がある。プランジャにクラックが生じると、ポンプ効率が悪くなるだけでなく、このクラックを通って圧力室の内容液が圧力室の外に漏れ、更にこれが容器の外に漏洩する虞がある。
【００１０】
以上のように、従来の液体噴出容器では、本来の液体噴出動作の時以外に内容液が液体噴出容器から外部に流出する虞があり、容器の周囲を汚す虞があった。
【００１１】
本発明はこのような従来の技術の問題点に鑑みてなされたものであり、本来の液体噴出動作の時以外は内容液が外部に流出しないようにした液体噴出容器を提供することを目的とする。
【００１２】
【課題を解決するための手段】
本発明は前記課題を解決するために、以下の手段を採用した。
〈本発明の要旨〉
本出願の請求項１に記載する発明は、（イ）容器本体と、（ロ）シリンダと、（ハ）吸込弁と、（ニ）回動環と、（ホ）吐出管と、（ヘ）プランジャと、（ト）変換機構と、（チ）噴出ヘッドと、（リ）液圧逃がし通路と、（ヌ）空気流入通路と、（ル）等圧孔と、（ヲ）等圧弁と、を備えた液体噴出容器である。以下に、請求項１に記載の発明のポイントを簡単に述べる。
【００１３】
（イ）容器本体・・・容器本体は口頚部を有している。
（ロ）シリンダ・・・シリンダの下端には吸入口が設けられ、この吸入口を口頚部から容器本体内に挿入して容器本体に固定されている。
【００１４】
（ハ）吸込弁・・・吸込弁はシリンダの吸入口に設けられている。
（ニ）回動環・・・回動環は容器本体とシリンダのいずれかに回動可能に取り付けられている。
【００１５】
（ホ）吐出管・・・吐出管は回動環に一体的に設けられており、上部に吐出弁を有し、下端を前記シリンダ内に挿入させている。
（ヘ）プランジャ・・・プランジャは筒状をなし、シリンダ内に配されるとともに吐出管に液密に外嵌して昇降摺動可能に設けられている。このプランジャはスプリング等の付勢機構により下方に付勢されている。
【００１６】
（ト）変換機構・・・変換機構は回動環とプランジャとの間に設けられており、回動環の回転動作をプランジャの上昇動作に変換する機能を有する。変換機構はカム等により構成することができる。
【００１７】
（チ）噴出ヘッド・・・噴出ヘッドは吐出弁の吐出側に連結されており、噴出ノズルを備えている。噴出ヘッドは下方に押し下げ可能になっていて、押し下げ動作により吐出弁を開弁せしめ噴出ノズルから内溶液を噴出可能にされている。
【００１８】
（リ）液圧逃がし通路・・・液圧逃がし通路はシリンダの内周面とプランジャの外周面との間に設けられており、プランジャが最下限位置に位置した時にはプランジャ内側の加圧室に連通し、プランジャが最下限位置から外れて位置した時には前記加圧室から遮断されるようにされている。
【００１９】
（ヌ）空気流入通路・・・空気流入通路はシリンダの内周面とプランジャの外周面との間に設けられており、容器外に連通していて外気導入可能にされている。
【００２０】
（ル）等圧孔・・・等圧孔はシリンダの周壁に形成されており、容器本体内と液圧逃がし通路とを連通している。
【００２１】
（ヲ）等圧弁・・・等圧弁は液圧逃がし通路と空気流入通路との間に設けられており、第１弁部と第２弁部と第３弁部とを有する。
第１弁部は等圧孔を開閉するものであり、液圧逃がし通路と容器本体内の圧力差によって動作し、容器本体内から液圧逃がし通路への流通を阻止し液圧逃がし通路から容器本体内への流通のみ許容する逆止弁として機能する。
【００２２】
第２弁部と第３弁部は互いに上下に離間して配されており、プランジャの外周面に圧接摺動して液圧逃がし通路と空気流入通路との間を開閉する機能を有する。
【００２３】
第２弁部は、プランジャが下部移動域に位置している時にはプランジャの外周面に圧接して閉塞し、プランジャが上部移動域に位置している時にはプランジャの外周面から離反して開弁する。
【００２４】
第３弁部は、プランジャが上部移動域に位置している時にはプランジャの外周面に圧接して液圧逃がし通路から空気流入通路への流通を阻止し空気流入路から液圧逃がし通路への流通のみ許容する逆止弁として機能する。
【００２５】
前記等圧弁を次のように構成することも可能である。即ち、第１弁部と第３弁部については先端径が弾性的に拡縮可能な筒状に形成し、第２弁部については環状の突部に形成する。又、プランジャ外周面の等圧弁摺動部分の途中に凹部を形成し、第２弁部はこの凹部の側方に位置している時には凹部の壁面との間に隙間を有して開弁状態となるようにし、凹部外に位置している時にはプランジャの外周面に圧接して閉弁状態となるようにする。又、第３弁部はその先端シール部が前記凹部の側方に位置している時には開弁状態となるようにし、先端シール部が凹部外に位置している時にはプランジャの外周面に圧接して前述の如き逆止弁として機能せしめる（請求項２に対応）。
【００２６】
又、前記プランジャに押さえ部材を設け、プランジャが最下限位置に位置した時にこの押さえ部材が吸込弁を上から押さえてその開弁を阻止せしめるようにすることも可能である（請求項３に対応）。
【００２７】
更に、前記吐出管とプランジャとの摺動面に、これらの間を液密にシールする環状の弾性シール部材を設けてもよい（請求項４に対応）。
【００３９】
〈本発明の原材料〉
前記等圧弁及び弾性シール部材は、弾性を有するプラスチックやゴム等で形成することが可能である。
【００４０】
【作用】
〈本発明の作用〉
請求項１に記載の発明では、プランジャが下動域に位置している時には、等圧弁の第２弁部がプランジャの外周面に圧接して液圧逃がし通路と空気流入通路との間を遮断するので、液圧逃がし通路内の内容液が空気流入通路を介して容器外へ漏洩することがない。又、プランジャが上部移動域に位置しているときには、等圧弁の第２弁部が開弁状態となり、空気流入通路と液圧逃がし通路が連通するため、空気流入通路から大気が液圧逃がし通路及び等圧孔を介して容器本体内に流入するが、等圧弁の第３弁部が液圧逃がし通路から空気流入通路への流通を阻止するので、この時にも液圧逃がし通路内の内容液が空気流入通路を介して容器外へ漏洩することはない。
【００４３】
【実施例】
以下、本発明の実施例を図１から図８の図面に基いて説明する。
＜実施例の構成＞
初めに、本発明の液体噴出容器（以下、容器と略称する）の構成を説明する。図１から図４は本発明の容器の半断面図であり、図５から図７はそれぞれ図１から図３の要部拡大断面図である。
【００４４】
〈容器本体、シリンダ、回動環〉
この容器は容器本体１０を備え、容器本体１０は、内部に内容液が充填された胴部１１と、外周面に雄ねじが設けられた口頚部１２とを有している。口頚部１２にはシリンダ２０が固定されている。
【００４５】
シリンダ２０は、下から順に第１筒部２１、第２筒部２２、第３筒部２３、第４筒部２４が連設しており、これら筒部は上位に位置するものにしたがって径が大きくなっていて、第４筒部２４の略中央からネジ筒部２５が外側下方に延びている。このネジ筒部２５の内周面には雌ねじが設けられており、ネジ筒部２５を容器本体１０の口頚部１２に螺合して、シリンダ２０は容器本体１０に固定されている。尚、口頚部１２とネジ筒部２５との間にはパッキン１３が挟装されている。
【００４６】
第１筒部２１と第２筒部２２との間には環状の弁座部２６が設けられており、第３筒部２３の下端には複数の等圧孔２７が開口している。
第１筒部２１の内側は吸入口２１ａになっていて、第１筒部２１には下端を容器本体１０の底部近傍に延ばした吸込管２８が嵌着されている。又、第１筒部２１の上端、即ち第２筒部２２の下端には吸込弁２９が取り付けられている。
【００４７】
吸込弁２９は弁座部２６に当接離反可能な弁体２９ａを有し、弁体２９ａが弁座部２６に着座して閉弁となり、弁座部２６から上方に離反して開弁となる。
【００４８】
第２筒部２２の内側には筒状のスリーブ３０が固定されている。スリーブ３０は下部を小径筒部３０ａとし、上部を大径筒部３０ｂとしており、大径筒部３０ｂの上端からシール筒部３０ｃが上方に起立している。大径筒部３０ｂの上端はシリンダ２０の第２筒部２２の上縁に掛止しており、シール筒部３０ｃは等圧孔２７から離間して配されている。尚、スリーブ３０はシリンダ２０の一部をなすものである。
【００４９】
第４筒部２４のほぼ上半分の内周面には周方向等間隔に断面半円形の縦溝３１が複数設けられており、第４筒部２４の外周面には係合突起２４ａが外方に突出して設けられている。
【００５０】
第４筒部２４の外側には回動環４０が周方向に回動可能で上下方向に移動不能に取り付けられている。回動環４０は上端にネック筒部４１を有しており、ネック筒部４１の下部に、吐出弁５１を備えた吐出管５０が固定されている。
【００５１】
〈吐出管、吐出弁、噴霧ヘッド〉
吐出弁５１は吐出管５０の上部開口を塞ぐように取り付けられており、入口管５２と出口管５３と弁体５４とスプリング５５とを主要構成とし、入口管５２が吐出管５０に連通している。
【００５２】
出口管５３の上端には、ネック筒部４１に外嵌する噴霧ヘッド（噴出ヘッド）５６が固定されている。噴霧ヘッド５６の外周面に設けられた噴霧ノズル（噴出ノズル）５６ａは、噴霧ヘッド５６内に設けられた通路を介して出口管５３内に連通している。
【００５３】
スプリング５５は出口管５３を上方に付勢して弁体５４を閉弁位置に位置せしめている。この吐出弁５１においては、噴霧ヘッド５６を下方に押して出口管５３をスプリング５５の弾性に抗して押し下げると、弁体５４が開弁して入口管５２と出口管５３とが連通し、その結果、噴霧ノズル５６ａが吐出管５０に連通するようになっている。そして、噴霧ヘッド５６から手を離すとスプリングバックして弁体５４が閉弁位置に復帰するようになっている。
【００５４】
吐出管５０は先部をシリンダ２０内に挿入させており、その先端がシリンダ２０の第３筒部２３の側方に配されている。
【００５５】
〈プランジャ〉
シリンダ２０と吐出管５０との間には筒状のプランジャ６０が昇降可能に取り付けられている。プランジャ６０は駆動筒部６１とスカート部６２とを備えている。
【００５６】
駆動筒部６１は、下筒部６３と、上筒部６４と、これらを連結する環板部６５とを有し、環板部６５は下筒部６３よりも若干内方に延びて、その内端縁が上下両方向に突出している。
【００５７】
下筒部６３はその外周面に段部６３ａを有し、この段部６３ａよりも上側は前記スリーブ３０の大径筒部３０ｂの外径よりも若干小径に形成された大径部６３ｂにされており、段部６３ａよりも下側は大径部６３ｂよりも更に小径に形成された小径部（凹部）６３ｃにされている。
【００５８】
下筒部６３の内側にスカート部６２が固定されている。スカート部６２は、下筒部６３に内嵌固定された支持筒部６６と、支持筒部６６から外方に且つ下方に延びるシール脚筒部６７と、支持筒部６６の下方延長上に延びる複数の押さえ脚部（押さえ部材）６８、とを備えている。
【００５９】
支持筒部６６の内径は前記環板部６５の内径と同径に形成されていて、吐出管５０の外径よりも僅かに大径にされている。支持筒部６６の上部内縁端と環板部６５の下向き内縁端との間にはゴム製のシールリング（弾性シール部材）６９が挟装されており、シールリング６９は、駆動筒部６１とスカート部６２と吐出管５０との間を液密にシールしつつ、吐出管５０の外周面を圧接摺動するようにされている。シールリング６９は吐出管５０及びプランジャ６０を損傷させることもなく、吐出管５０とプランジャ６０との間を長期に亙って確実にシールする。
【００６０】
シリンダ２０と吸込弁２９と吐出管５０とプランジャ６０によって囲まれた空間は加圧室９３となっている。
【００６１】
シール脚筒部６７は駆動筒部６１の小径部６３ｃの下方に配されていて外径を大径部６３ｂの外径とほぼ同径に形成されており、シール脚筒部６７の下端部は下方に向かって拡径するテーパー筒部６７ａにされている。テーパー筒部６７ａの下端外径は、前記スリーブ３０の小径筒部３０ａの内径よりも小径で小径筒部３０ａとの間に隙間が形成されるようになっており、大径筒部３０ｂの内径とほぼ同径か若干大径で、テーパー筒部６７ａが大径筒部３０ｂの外周面を圧接摺動するようにされている。
【００６２】
押さえ脚部６８は隣り合う押さえ脚部６８の間に隙間を有して形成されており、各押さえ脚部６８は、図１及び図５に示すようにプランジャ６０が最下限位置に位置した時に吸込弁２９の弁体２９ａを上から押圧し、弁座部２６と協働して弁体２９ａの開弁を阻止するようにされている。
【００６３】
〈変換機構〉
前記回動環４０とプランジャ６０との間には、回動環４０の回転動作をプランジャ６０の上昇動作に変換する変換機構が設けられている。以下、この変換機構について説明する。
【００６４】
上筒部６４の外周面には、図８の展開図に示すように傾斜溝７０ａと垂直溝７０ｂが交互に連続してなる断面半円形のカム溝７０が設けられている。このカム溝７０とシリンダ２０の縦溝３１にはボール７１が回動可能に係合している。即ち、ボール７１の半分はカム溝７０に挿入され、残る半分が縦溝３１に挿入されている。
【００６５】
又、プランジャ６０は中継部材４２によって回動環４０に相対回転不能で上下方向には僅かに相対移動可能に連結されている。即ち、中継部材４２は、外側下延筒部４３と内側下延筒部４４と上延筒部４５とが頂板部４６によって連結されて構成されており、外側下延筒部４３の外周面に設けた突起４３ａをシリンダ２０の第４筒部２４の突起２４ａに掛止させてシリンダ２０に対して相対回転可能に取り付けられ、頂板部４６の内縁部を吐出管５０の上部に掛止させている。更に中継部材４２は、上延筒部４５の係合突条４５ａを回動環４０の係合溝４０ａに係合することによって、回動環４０と同期回転するようにされている。一方、中継部材４２は、内側下延筒部４４の外周面に設けた縦突条４４ａを駆動筒部６１の上筒部６４の内周面に設けた縦溝６４ａに係合することによって、プランジャ６０に対して相対回転不能で上下方向に相対移動可能に連結されている。
【００６６】
プランジャ６０は中継部材４２との間に介装されたスプリング（付勢機構）４７によって下方に付勢されており、したがって、前記ボール７１は常にシリンダ２０の縦溝３１の下端に係合し、カム溝７０の上壁面に係合している。ている。
【００６７】
このようにプランジャ６０が回動環４０に対して相対回転不能で上下方向に相対移動可能に連繋され、シリンダ２０とプランジャ６０とが縦溝３１とカム溝７０とボール７１で構成されたカム機構によって連繋されているので、回動環４０を容器本体１０に対して回転することによってプランジャ６０をスプリング４７の弾性に抗して上昇させることができ、その後、スプリング４７の弾性復元力によってプランジャ６０を下降させることができる。
【００６８】
即ち、ボール７１が傾斜溝７０ａの上端に係合している状態（図８において７１Ａで示す）で回動環４０を図８の矢印Ｘ方向に回転すると、ボール７１が傾斜溝７０ａを相対的に下っていき、つまりプランジャ６０が上昇する。その際にプランジャ６０がスプリング４７を弾性圧縮する。
【００６９】
ボール７１がカム溝７０の傾斜溝７０ａの下端から垂直溝７０ｂの下端に移行すると（図８において７１Ｂで示す）、スプリング４７の弾性復元力によってプランジャ６０は下降可能となる。プランジャ６０が下降すると、ボール７１は垂直溝７０ｂを相対的に上昇することとなり、最終的に隣の傾斜溝７０ａの上端に達する。
【００７０】
〈等圧弁、液圧逃がし通路、空気流入通路〉
シリンダ２０の第２筒部２２の上端には等圧弁８０が固定具８９を介して固定されている。等圧弁８０は軟質樹脂等の弾性部材で形成されており、シリンダ２０に対して当接離反する第１弁部８１と、プランジャ６０に対して当接離反する第２弁部８２及び第３弁部８３、とを備えている。
【００７１】
図６に示すように、シリンダ２０とプランジャ６０との間には、等圧弁８０を間に挟んで下側に液圧逃がし通路９１が形成され、上側に空気流入通路９２が形成されている。
【００７２】
液圧逃がし通路９１は、図５に示すようにプランジャ６０のテーパー筒部６７ａがスリーブ３０の小径筒部３０ａの側方に位置している時に加圧室９３に連通し、図６及び図７に示すようにテーパー筒部６７ａが大径筒部３０ｂに圧接している時に加圧室９３から遮断される。
【００７３】
空気流入通路９２は、プランジャ６０の駆動筒部６１とシリンダ２０の第４筒部２４との間の隙間、カム溝７０、シリンダ２０の縦溝３１、中継部材４２の空気孔４６ａ等を介して容器外に連通し、大気を導入できるようになっている。
【００７４】
第１弁部８１は下方に延びる筒状をなし、前記スリーブ３０のシール筒部３０ｃの上端外周面に当接離反可能になっていて、シール筒部３０ｃに着座して等圧孔２７を閉塞し、シール筒部３０ｃから離反して等圧孔２７を開放するように動作する。
【００７５】
前記第１弁部８１は液圧逃がし通路９１内の圧力と容器本体１０内の圧力との圧力差によって作動し、容器本体１０内から液圧逃がし通路９１への流通を阻止し、液圧逃がし通路９１から容器本体１０内への流通のみを許容する逆止弁として機能する。
【００７６】
第２弁部８２は環状突部に形成されていて、図５及び図６に示すように駆動筒部６１の下筒部６３における大径部６３ｂの外周面に液密に圧接摺動するように形成されており、図７に示すように下筒部６３の小径部６３ｃの側方に位置した時にはこの小径部６３ｃとの間に隙間が生じるように形成されている。即ち、第２弁部８２は、下筒部６３の大径部６３ｂを摺動する時は閉弁状態であり、下筒部６３の小径部６３ｃの側方を昇降する時は開弁状態となる。
【００７７】
第３弁部８３は筒状をなして第２弁部８２から下方に延び、その先端部分がシール部にされている。第３弁部８３のシール部は、図５及び図７に示すように駆動筒部６１の下筒部６３における大径部６３ｂの外周面及びスカート６２におけるシール脚筒部６７の外周面に液密に圧接摺動するように形成されており、図６に示すように下筒部６３の小径部６３ｃの側方に位置した時にはこの小径部６３ｃとの間に隙間が生じるように形成されている。即ち、第３弁部８３は、下筒部６３の大径部６３ｂ及びシール脚部６７を摺動する時は閉弁状態であり、下筒部６３の小径部６３ｃの側方を昇降する時は開弁状態となる。
【００７８】
又、閉弁状態にある第３弁部８３は液圧逃がし通路９１内の圧力と空気流入通路９２内の圧力との圧力差によって開閉するようになっていて、液圧逃がし通路９１から空気流入通路９２への流通を阻止し、空気流入通路９２から液圧逃がし通路９１への流通のみを許容する逆止弁として機能する。
【００７９】
＜実施例の作用＞
次に、この容器の作用を説明する。
【００８０】
〈非加圧状態〉
図１及び図５は加圧室９３が非加圧状態にある場合を示しており、非使用時に容器は通常この状態にされている。この非加圧状態においては、吸込弁２９及び吐出弁５１が閉弁状態になっており、プランジャ６０は最下限位置に位置し、押さえ脚部６８が吸込弁２９の弁体２９ａを上から押圧している。液圧逃がし通路９１は加圧室９３に連通しており、空気流通通路９２は容積が殆どない状態に圧縮されている。
【００８１】
等圧弁８０の第１弁体８１はシリンダ２０におけるスリーブ３０のシール筒部３０ｃに圧接して液圧逃がし通路９１と容器本体１０とを遮断し、第２弁部８２と第３弁部８３はいずれもプランジャ６０における下筒部６３の大径部６３ｂに圧接して液圧逃がし通路９１と空気流入通路９２とを遮断している。
【００８２】
吐出弁５１については、この後、噴霧ヘッド５６を押し下げない限り、閉弁状態に維持される。
【００８３】
〈ポンプアップ操作  −  前半〉
前記非加圧状態から回動環４０を容器本体１０に対して図８の矢印Ｘ方向に回転すると、プランジャ６０がスプリング４７を圧縮しながら上昇する。プランジャ６０の上昇により押さえ脚部６８は吸込弁２９の弁体２９ａから離反し、弁体２９ａは開弁可能になる。
【００８４】
最下限位置からプランジャ６０のテーパー筒部６７ａがスリーブ３０の大径筒部３０ｂに圧接する直前までのプランジャ６０の移動範囲を下部移動域と称する。この下部移動域においては、等圧弁８０の第２弁部８２及び第３弁部８３は両方ともプランジャ６０の下筒部６３の大径部６３ｂに液密に圧接しており、液圧逃がし通路９１と空気流入通路９２との間を遮断し続ける。
【００８５】
そして、プランジャ６０が下部移動域を脱して、図２及び図６に示すようにプランジャ６０のテーパー筒部６７ａがスリーブ３０の大径筒部３０ｂに圧接すると、それ以後のプランジャ６０の上昇によって加圧室９３が負圧となり、この負圧によって吸込弁２９の弁体２９ａが弁座部２６から離反して開弁し、その結果、容器本体１０内の内容液が吸込管２８を通り吸入口２１ａから加圧室９３内にポンプアップされる。
【００８６】
テーパー筒部６７ａはプランジャ６０が最上限位置に至るまで、即ちポンプアップが完了するまで、スリーブ３０の大径筒部３０ｂを液密に圧接し続ける。
又、プランジャ６０の大径部６３ｂは等圧弁８０の第２弁部８２を液密に圧接して摺動し、その結果、液圧逃がし通路９１と空気流入通路９２は第２弁部８２によって遮断された状態に保持される。
【００８７】
尚、テーパー筒部６７ａがスリーブ３０の大径筒部３０ｂに圧接し始めるのとほぼ同時に、下筒部６３の大径部６３ｂは等圧弁８０の第３弁部８３の先端シール部から離脱して、下筒部６３の小径部６３ｃが第３弁部８３の側方に位置し、第３弁部８３が開弁状態になる。
【００８８】
内容液のポンプアップに伴い、容器本体１０内は減圧されて負圧になり、この負圧によって等圧弁８０の第１弁部８１がスリーブ３０のシール筒部３０ｃから離反して開弁し、液圧逃がし通路９１内の内容液は等圧孔２７から容器本体１０内に流れる。
【００８９】
〈ポンプアップ操作  −  後半〉
回動環４０の回転によりボール７１がカム溝７０における傾斜溝７１ａの下端近傍に達すると、プランジャ６０の下筒部６３の大径部６３ｂが等圧弁８０の第２弁部８２から離脱して小径部６３ｃが第２弁部８２の側方に位置するとともに、プランジャ６０のスカート部６２のシール脚筒部６７が第３弁部８３の先端シール部に圧接し始める。この位置から最上限位置までのプランジャ６０の移動範囲を上部移動域と称する。
【００９０】
この上部移動域においては、等圧弁８０の第２弁部８２は開弁状態となり、第３弁部８３は空気流入通路９２から液圧逃がし通路９１への流通を許容しその逆方向の流通を阻止する逆止弁として機能する。
【００９１】
ところで、前述したように液圧逃がし通路９１は容器本体１０内に連通しており負圧になっているので、この負圧により第３弁部８３はシール脚筒部６７から離反して開弁状態となる。その結果、空気流入通路９２が液圧逃がし通路９１及び等圧孔２７を介して容器本体１０内に連通し、大気がこれら通路を通って容器本体１０内に流入し、容器本体１０内が大気圧になる。この状態はプランジャ６０が最上限位置に至るまで継続する。
【００９２】
そして、ボール７１が傾斜溝７１ａの下端、即ち垂直溝７１ｂの下端に達すると、回動環４０の回転は停止せしめられ、プランジャ６０が図３及び図７に示すように最上限位置に位置することとなる。これにより、内容液のポンプアップは終了し、吸込弁２９の弁体２９ａが弁座部２６に着座して吸込弁２９は閉弁する。
又、ポンプアップ終了と同時に、等圧弁８０の第１弁部８１がシール筒部３０ｃに圧接して閉弁し、第３弁部８３がシール脚筒部６７に圧接して閉弁する。したがって、この状態で万が一に容器を横転させたとしても内容液が容器の外へ漏洩することはない。
【００９３】
尚、吐出弁５１が閉弁されている限り加圧室９３は密閉空間となるので、スプリング４７の弾性復元力がプランジャ６０に作用していても、このままではプランジャ６０が下降することはない。
【００９４】
〈噴出操作〉
前述のように内容液をポンプアップした後、図４に示すように噴霧ヘッド５６を押し下げると、吐出弁５１が開弁し、加圧室９３が噴霧ノズル５６ａに連通して、加圧室９３の密閉が破られる。その結果、スプリング４７の弾性復元力によりプランジャ６０が下降し、加圧室９３内の内容液が噴霧ノズル５６ａから噴霧される。尚、プランジャ６０の下降時、ボール７１はカム溝７０の垂直溝７０ｂを相対的に上昇することとなる。
【００９５】
プランジャ６０の初期下降に伴い、液圧逃がし通路９１内は負圧になるが、この負圧により等圧弁８０の第３弁部８３はシール脚筒部６７から離反し開弁状態となるので、空気流入通路９２から液圧逃がし通路９１に大気が流入する。
【００９６】
プランジャ６０が下降してその下筒部６３の大径部６３ｂが等圧弁８０の第２弁部８２に圧接し始めると、即ちプランジャ６０が上部移動域を脱すると液圧逃がし通路８１は密閉されるので、それ以降はプランジャ６０のテーパー筒部６７ａがスリーブ３０の大径筒部３０ｂから離脱するまでの間、即ち下部移動域に達するまでの間、プランジャ６０の下降に伴い液圧逃がし通路８１は減圧されて若干負圧化する。
【００９７】
〈噴出終了〉
プランジャ６０のテーパー筒部６７ａがスリーブ３０の大径筒部３０ｂから離脱して小径筒部３０ａの側方に位置するようになると、即ちプランジャ６０が下部移動域に入ると、液圧逃がし通路９１が加圧室９３に連通するため液圧逃がし通路９１内に加圧室９３内の正圧が伝達される。
【００９８】
その結果、液圧逃がし通路９１内の圧力が容器本体１０内の圧力よりも大きくなり、等圧弁８０の第１弁部８１がスリーブ３０のシール筒部３０ｃから離反し第１弁部８１は開弁状態となって、加圧室９３内の内容液が液圧逃がし通路８１及び等圧孔２７を通って容器本体１０内に流れ、これに伴い加圧室９３内の圧力が急速に減圧されて、噴霧ノズル５６ａからの内容液の噴霧が止まる。
【００９９】
このように加圧室９３内の圧力が急速に減圧されるので、噴射終了時の液切れが非常によく、噴霧ノズル５６ａから液垂れが生じることもない。
【０１００】
ところで、前述のようにプランジャ６０の下降終点直前において、加圧室９３内の圧力を容器本体１０内に戻すようにすると、加圧室９３内と容器本体１０内の圧力が不安定になる。そして、プランジャ６０が最下限位置に達する時に容器本体１０内の圧力の方が加圧室９３内の圧力よりも大きくなる場合がある。このような圧力バランスになると、吸込弁２９の弁体２９ａに開弁方向の力が作用する。この時に吸込弁２９が開弁すると、加圧室９３内の圧力が再び上昇してしまい、その結果、液切れを悪くし、ひいては噴霧ノズル５６ａから液垂れを生じさせる。
【０１０１】
しかしながら、この容器の場合には、プランジャ６０が最下限位置に至ると、プランジャ６０の押さえ脚部６８が吸込弁２９の弁体２９ａを開弁不能に押圧するので、吸込弁２９が開弁することはない。したがって、容器１０内が加圧室９３よりも圧力が大きくなったとしても容器本体１０内の圧力が加圧室９３に伝達されることはなく、噴霧終了時の液切れがよく、噴霧ノズル５６ａから液垂れが生じることもない。
【０１０２】
又、この容器では常に、等圧弁８０の第２弁部８２と第３弁部８３のいずれか一方の弁部が、あるいは両方の弁部が同時に、液圧逃がし通路９１から空気流入通路９２へ内容液が流れるのを阻止しているので、噴霧ノズル５６ａから噴霧される以外は、容器がいかなる操作状態になっていても、又いかなる姿勢にされていても、内容液が外部に漏出することがない。
【０１０３】
【発明の効果】
以上説明したように、本発明によれば、等圧弁の第１弁部は液圧逃がし通路と容器本体内の圧力差によって動作して容器本体内から液圧逃がし通路への流通を阻止し液圧逃がし通路から容器本体内への流通のみ許容する逆止弁として機能せしめ、前記プランジャが下部移動域にある時には前記等圧弁の第２弁部及び第３弁部はプランジャの外周面に圧接して閉弁し、プランジャが上部移動域にある時には第２弁部はプランジャの外周面から離脱して開弁し、第３弁部はプランジャの外周面に圧接して液圧逃がし通路から空気流入通路への流通を阻止し空気流入路から液圧逃がし通路への流通のみ許容する逆止弁として機能せしめたことにより、噴出終了時における液切れがよく、液垂れが生じないようにすることができるとともに、転倒等した場合にも液漏れが生じないという優れた効果が奏される。
【０１０４】
又、プランジャに押さえ部材を設け、プランジャが最下限位置に位置した時に押さえ部材が吸込弁を上から押さえてその開弁を阻止するようにしたことにより、噴出終了時における液切れをよくし、液垂れを確実に防止することができるという優れた効果が奏される。
【０１０５】
又、吐出管とプランジャとの摺動面にこれらの間を液密にシールする環状の弾性シール部材を設けたことにより、吐出管及びプランジャがこれらの摺動に起因して損傷することがなくなり、経時的なポンプ効率の低下を招くことがないばかりか、損傷に伴う内容液の漏洩を確実に防止することができるという優れた効果が奏される。
【図面の簡単な説明】
【図１】本発明の液体噴出容器の一実施例における非加圧時の半断面図である。
【図２】本発明の液体噴出容器の一実施例におけるポンプアップ開始時の半断面図である。
【図３】本発明の液体噴出容器の一実施例におけるポンプアップ終了時の半断面図である。
【図４】本発明の液体噴出容器の一実施例における噴出動作時の半断面図である。
【図５】図１の要部拡大図である。
【図６】図２の要部拡大図である。
【図７】図３の要部拡大図である。
【図８】本発明の液体噴出容器の一実施例におけるプランジャのカム溝の展開図の一部である。
【符号の説明】
１０  容器本体
１２  口頚部
２０  シリンダ
２１ａ  吸入口
２７  等圧孔
２９  吸込弁
３１  縦溝（変換機構）
４０  回動環
４２  中継部材（変換機構）
４７  スプリング（付勢機構）
５０  吐出管
５１  吐出弁
５６  噴霧ヘッド（噴出ヘッド）
５６ａ  噴霧ノズル（噴出ノズル）
６０  プランジャ
６３ｃ  小径部（凹部）
６８  押さえ脚部（押さえ部材）
６９  シールリング（弾性シール部材）
７０  カム溝（変換機構）
７１  ボール（変換機構）
８０  等圧弁
８１  第１弁部（請求項５における空気導入弁）
８２  第２弁部（請求項５における空気導入弁）
８３  第３弁部（請求項５における逆止弁）
９１  液圧逃がし通路
９２  空気流入通路
９３  加圧室
【図１】
0003595016.tif 000002
【図２】
0003595016.tif 000003
【図３】
0003595016.tif 000004
【図４】
0003595016.tif 000005
【図５】
0003595016.tif 000006
【図６】
0003595016.tif 000007
【図７】
0003595016.tif 000008
【図８】
0003595016.tif 000009